(57)【特許請求の範囲】
【請求項１】
走行体を移動させて原稿を読み取る読み取り装置において、
凹部を持った凹型部材と、凸部を持った凸型部材と、を有し、該凹型部材と該凸型部材とを組み合わせることにより前記走行体の移動を制御する固定手段を備え、
前記凹型部材と前記凸型部材とのいずれか一方を前記走行体の一端部に取り付け、他方を読み取り装置のハウジングに固定されているベース部に組み付ける固定部材とするとともに、
前記固定部材に凹凸を設け、該凹凸に一致するように前記ベース部に凹凸を設け、前記固定部材の凹凸と前記ベース部の凹凸とを合わせることにより前記固定部材を前記ベース部に組み付けることを特徴とする読み取り装置。
【請求項２】
請求項１記載の読み取り装置において、
前記固定部材が弾性力を有する樹脂からなり、該樹脂の弾性力によって前記ベース部に組み付けることを特徴とする読み取り装置。
【請求項３】
請求項１記載の読み取り装置において、
前記固定部材が、一部品からなり、操作用の取っ手を有することを特徴とする読み取り装置。
【請求項４】
請求項３記載の読み取り装置において、
前記取っ手が、読み取り装置の外観面に突出し、読み取り装置の外部から操作可能であることを特徴とする読み取り装置。
【請求項５】
請求項１記載の読み取り装置において、
前記ベース部が前記凹凸とは別に前記固定部材の凹凸と一致する凹凸を有し、
該別の凹凸と前記固定部材の凹凸とを組み付けたとき、前記固定部材が、前記走行体が移動する軌道上からはずれることを特徴とする読み取り装置。
【発明の詳細な説明】
【０００１】
【発明の属する技術分野】
本発明は、読み取り装置に係り、特に走行体を移動させて原稿を読み取る読み取り装置の走行体の固定装置に関する。
【０００２】
【従来の技術】
従来のブック原稿対応可能の読み取り装置においては、原稿を固定して走行体を移動するタイプが主流である。このタイプの読み取り装置において、読み取りの精度を決定するものは、走行体の移動動作精度である。移動動作精度を上げるために求められるものは、まずスキャンラインが走行体の移動方向に対して常に直行することである。この直行性が損なわれると読み取りの直線性がでない。次に、走行体の移動量および速度が一定であることである。この速度および移動量が損なわれると縮率がでない。また、焦点距離がズレを生じると読み取りの解像力を損なうこととなる。
【０００３】
差動ミラー方式でなく、走行体を１つにした読み取り装置においては、駆動をワイヤにて行い、リードシャフトを有し、このシャフトに沿って走行体が移動するものが一般的である。この方式においては、焦点距離方向のズレは少ないというメリットはあるものの、走行体の重量が大きくなるという欠点がある。走行体の重量が大きいということは慣性力が大きいということで、特に走行体を固定しようとする場合において大きな力が生じる。
【０００４】
ところが、梱包および非梱包状態における装置の輸送時には、走行体の固定の必要性が生じる。輸送時に走行体を固定しない場合、移動によって生じる走行体の慣性力がワイヤおよび走行体、リードシャフトにかかる。そのときリードシャフトを曲げることによって、スキャンラインの直行性を損なう恐れがある。またワイヤをのばして縮率を狂わせたり、走行体が筐体に衝突し破壊したりする。したがって、走行体の固定は重要課題である。
【０００５】
従来の読み取り装置における走行体の固定を行うロック部材においては、走行体のロックとしてネジ部材を用いて開梱包時に取り外してしまうもの、もしくは、ロックレバーとネジが一体化されているもの等が簡易な例としては良くある。しかし、いずれの動作も走行体の固定と解除の操作性の簡単さでは優れない。
また、直線的に往復移動する直線移動体を所定の停止位置にロックするものとして、特開平５−６０２００号公報に記載されたものがある。
【０００６】
このロック機構を採用した画像読み取り装置を図５に示す。図５に示すように、この画像読み取り装置は、直線移動体４０，移動体４１，ガイドシャフト５２，ローラーシャフト５３，ローラ５４，ガイドシャフト５５，位置決めピン７１，７２，係止部材７３，７４，カムホイール７８，回動レバー８０，８１を有している。
【０００７】
直線移動体４０は、ガイドシャフト５２，５５に沿って往復直線移動自在となっている。また、移動体４１の端部４１ａ２側では、ローラーシャフト５３に軸着したローラ５４がガイドシャフト５５上を転動する。また、直線移動体４０の第１，第２の停止位置近傍には、位置決めピン７１，７２に沿って上下に摺動する係止部材７３，７４が設けてある。さらに、係止部材７３，７４は、カムホイール７８のカム溝と連動する回動レバー８０，８１と連結している。
【０００８】
直線移動体４０をロックするには、直線移動体４０が、例えば第１の停止位置で停止し、ローラーシャフト５３の先端部５３ａが位置決めピン７１に当接している際に、カム７８を回転させて、回動レバー８０とカム溝の大半径とが接する位置にすることにより、回動レバー８０によって、係止部材７３が引き下げられ、係止部材７３がローラーシャフト５３を上方から当接し、直線移動体４０をロックする。
【０００９】
【発明が解決しようとする課題】
しかしながら、上記のロック機構にあっては、機構が複雑であるため、装置が大型化するとともに、故障を起こしやすく、さらに、非常に高価である。また、使用頻度と必要性を考えると適さない。
そこで本発明は、原稿を読み取る走行体の移動を、簡素な機構で停止させる読み取り装置を提供することを課題とする。
【００１０】
【課題を解決するための手段】
請求項１記載の発明は、上記目的達成のため、走行体を移動させて原稿を読み取る読み取り装置において、凹部を持った凹型部材と、凸部を持った凸型部材と、を有し、該凹型部材と該凸型部材とを組み合わせることにより前記走行体の移動を制御する固定手段を備え、前記凹型部材と前記凸型部材とのいずれか一方を前記走行体の一端部に取り付け、他方を読み取り装置のハウジングに固定されているベース部に組み付ける固定部材とするとともに、前記固定部材に凹凸を設け、該凹凸に一致するように前記ベース部に凹凸を設け、前記固定部材の凹凸と前記ベース部の凹凸とを合わせることにより前記固定部材を前記ベース部に組み付けることを特徴とするものである。
【００１１】
請求項２記載の発明は、上記目的達成のため、請求項１記載の読み取り装置において、前記固定部材が弾性力を有する樹脂からなり、該樹脂の弾性力によって前記ベース部に組み付けることを特徴とするものである。
【００１２】
請求項３記載の発明は、上記目的達成のため、請求項１記載の読み取り装置において、前記固定部材が、一部品からなり、操作用の取っ手を有することを特徴とするものである。
請求項４記載の発明は、上記目的達成のため、請求項３記載の読み取り装置において、前記取っ手が、読み取り装置の外観面に突出し、読み取り装置の外部から操作可能であることを特徴とするものである。
【００１３】
請求項５記載の発明は、上記目的達成のため、請求項１記載の読み取り装置において、前記ベース部が前記凹凸とは別に前記固定部材の凹凸と一致する凹凸を有し、該別の凹凸と前記固定部材の凹凸とを組み付けたとき、前記固定部材が、前記走行体が移動する軌道上からはずれることを特徴とするものである。
【００１４】
【発明の実施の形態】
以下、本発明の好ましい実施の形態について添付図面を参照しつつ説明する。本発明に係る読み取り装置の構造を図１に示す。図１に示すように、読み取り装置は、走行体１，密着イメージセンサー２，リードシャフト４，駆動プーリー５，駆動ワイヤ６，従動プーリー７，ロック部材８，外装カバー９，ベース１０を備えている。
【００１５】
走行体１は、密着イメージセンサー２を有し、リードシャフト４に沿って移動するものである。この走行体の移動は、駆動ワイヤ６を用いて駆動プーリー５および従動プ−リー７によって行われる。密着イメージセンサー２は、走行体１の移動によりリードシャフト４に沿って原稿を読み取るものである。走行体１の移動は、図１に示されるロック部材８によって制御される。ロック部材８は、ベース１０に対して上下に移動可能であり、走行体１の一端部に突出した突起部の間に出入りすることで走行体１の左右の動きを規制する。また、ロック部材８は、一部がレバー機能を有しており、外装カバー９とは干渉しないでアクセス可能となっている。
【００１６】
ロック部材８の形状およびロック部材８が勘合するベース１０の形状を図２に示す。ロック部材８は、走行体１の突起部の間に入り走行体１の動きを規制する軸部と、軸部の走行体１の突起部に出入りする側とは反対側に操作部と、軸部に対して直角に伸びた腕と、を有し、腕の両側にそれぞれ凸部を有し、樹脂材質の弾性によりベース１０に勘合するように構成される。対するベース１０は、板金構成でロック部材８の凸部が勘合するように凹形状の絞りが左右を１組として上下に２組ある。
【００１７】
ロック部材８とベース１０の組み付けは、図２に示すように、ロック部材８をベース１０の切り欠きにはめ込み、ベース１０の上または下の凹部にロック部材８の凸部を勘合させてロック部材８を安定させる。したがって、ロック部材８は上下に移動可能であり、上記ベース１０の凹部の上または下のどちらかの位置にセットされたときに、ロック部材８は安定する。また、ロック部材８の操作部は外装カバー９の外側に出て、外側からの操作が可能となっている。
【００１８】
図３に図１に示したロック部材８の詳細図を示す。図３に示すように、走行体１の２本の突起状リブの間にロック部材８が挟まっている。また、ロック部材８の腕の２つの凸部は、ベース１０の凹部にしっかりと勘合されて、ロック部材８はベース１０に固定される。これにより、走行体１は、ロック部材８に固定され、ロック部材８は、ベース１０に固定されるので、走行体１の移動を規制することができる。
【００１９】
図４に走行体１の突起部とロック部材８の位置関係を示す。この図において、ロック部材８を上の位置に固定した場合、ロック部材８が走行体１の突起部の間に入り、走行体１が動かないようになる。ロック部材８を下の位置で固定した場合には、ロック部材８は走行体１の突起部の軌道から外れるため、走行体１は自由に移動できるようになる。このことにより、ロック部材８を上下に移動させるという簡単な操作で、しかも本体の外側からの操作で、走行体１の移動と固定を切り替えることができる。
【００２０】
また、ロック部材８の凸部のベース１０の凹部への勘合は、樹脂そのものの弾性を利用しているため、工具を必要とせず、さらに、複雑な操作もなく凸凹を勘合させるので誤動作もない。
【００２１】
【発明の効果】
請求項１記載の発明によれば、固定されているベース部に組み付けられた固定部と走行体の一端部とが組み合わせられ、走行体の移動を制御するので、読み取り装置の輸送時等における走行体の筐体への衝突やリードシャフトへ過度の力が掛かることを防止でき、装置を破壊や損傷から守り安定した性能を維持することができるとともに、固定部材の凹凸とベース部の凹凸により固定部材をベース部に組み付けることができるので、簡単な構成で確実に固定部材を読み取り装置に固定することができ、また、凹凸により組み付けの確認がしやすいので誤操作を防止できる。
【００２２】
請求項２記載の発明によれば、樹脂の弾性力を利用して固定部材をベース部に組み付けることができるので、特別な器具を必要とせずに走行体の移動を停止させることができる。
【００２３】
請求項３記載の発明によれば、固定部材に操作用の取っ手がついているので、取っ手を利用して固定部材の操作ができ、簡単に走行体の移動を停止させることができる。
請求項４記載の発明によれば、固定部材の操作用の取っ手が読み取り装置の外部に出ているので、操作性に優れ、操作者の負担が軽減でき、誤操作を防止できる。
【００２４】
請求項５記載の発明によれば、固定部材のベース部材への組み付け位置によって走行体の移動と停止を選択できるので、必要に応じて簡単に走行体の移動と停止を選択することができる。
【図面の簡単な説明】
【図１】本発明に係る読み取り装置の一実施例を示す構造図である。
【図２】一実施例のロック部材８の形状およびベース１０の形状を示す図である。
【図３】一実施例のロック部材の詳細図である。
【図４】一実施例における走行体の突起部とロック部材の位置関係を示す図である。
【図５】従来のロック機構を採用した画像読み取り装置の一例を示す図である。
【符号の説明】
１  走行体
２  密着イメージセンサー
４  リードシャフト
５  駆動プーリー
６  駆動ワイヤ
７  従動プーリー
８  ロック部材
９  外装カバー
１０  ベース
４０  直線移動体
４１  移動体
５２  ガイドシャフト
５３  ローラーシャフト
５４  ローラ
５５  ガイドシャフト
７１，７２  位置決めピン
７３，７４  係止部材
７８  カムホイール
８０，８１  回動レバー
【図１】
0003549359.tif 000002
【図２】
0003549359.tif 000003
【図３】
0003549359.tif 000004
【図４】
0003549359.tif 000005
【図５】
0003549359.tif 000006